(57)【要約】【課題】斜板復帰バネの機能劣化を抑制することができる可変容量型ピストンポンプを提供する。【解決手段】  可変容量型ピストンポンプ１は、シリンダブロック１４側から斜板３０の被押圧部３３を押圧して斜板３０の傾角を最大傾角と最小傾角との間で調整するコントロールピストン５０と、斜板３０の被押圧部３３を摺接面３０ａのシリンダブロック１４側の向きに付勢する斜板復帰バネ６０とを備え、斜板３０が最大傾角であるときの斜板復帰バネ６０の第１の座面中心位置Ａ１と、斜板３０が最小傾角であるときの斜板復帰バネ６０の第２の座面中心位置Ａ２との間を、垂直基準線Ｚが通過する位置関係を有する。【選択図】図６
2016023547.tif 000002
【特許請求の範囲】
【請求項１】
回転軸と一体的に回転するシリンダブロック内のピストンが、斜板の傾角に応じたストロークの往復動をおこなって、作動流体の吸入および吐出をおこなう可変容量型ピストンポンプであって、
前記斜板は、前記ピストンの一端部がシューを介して摺接する摺接面を有するとともに、前記ピストンのストロークを規定する傾角を変更可能とするように回動中心周りに回動可能に配置され、
前記斜板の摺接面に対して一側に配置され、前記一側から前記斜板の被押圧部を押圧して、前記斜板の傾角を前記作動流体の吐出容量が最大となる最大傾角と前記作動流体の吐出容量が最小となる最小傾角との間で調整する押圧部と、
前記斜板の摺接面に対して他側に配置され、前記斜板の前記被押圧部を前記摺接面の一側の向きに付勢する、一方向に延びる斜板復帰バネと、
を備え、
前記斜板復帰バネは、前記斜板の傾角が前記最大傾角であるときの前記斜板側の座面中心の位置である第１の座面中心位置と、前記斜板の傾角が前記最小傾角であるときの前記斜板側の座面中心の位置である第２の座面中心位置とを有し、
前記斜板復帰バネの軸線方向に対して平行であり、且つ、前記斜板の回動中心を通る直線を平行基準線とし、前記平行基準線と直交し、且つ、前記斜板の前記回動中心を通る直線を垂直基準線としたときに、前記第１の座面中心位置と前記第２の座面中心位置との間を、前記垂直基準線が通過する位置関係を有する、可変容量型ピストンポンプ。
【請求項２】
前記第１の座面中心位置と前記第２の座面中心位置との中点を、前記垂直基準線が通過する位置関係を有する、
請求項１に記載の可変容量型ピストンポンプ。
【請求項３】
前記斜板復帰バネは、前記軸線方向が前記回転軸に対して平行となるように配置されている、
請求項１又は２に記載の可変容量型ピストンポンプ。
【発明の詳細な説明】
【技術分野】
【０００１】
本発明は、可変容量型ピストンポンプに関する。
【背景技術】
【０００２】
従来の可変容量型ピストンポンプとして、例えば特許文献１に記載されているように、油圧回路の油圧発生源として用いられ、斜板の傾角を調整することにより吐出容量が変更される可変容量型ピストンポンプが知られている。
【０００３】
上記特許文献１に記載の可変容量型ピストンポンプは、斜板を押圧するコントロールピストンと、コントロールピストンとは反対側から斜板を付勢する斜板復帰バネと、を備えている。コントロールピストンは、その制御圧を変えることで斜板に対する押圧力の大きさが変わり、押圧力の大きさを制御することによって斜板の傾角が調整される。具体的には、コントロールピストンの押圧力を小さくすると、斜板復帰バネの付勢力によって斜板の傾角が大きくなり、コントロールピストンの押圧力を大きくすると、斜板の傾角が小さくなる。
【先行技術文献】
【特許文献】
【０００４】
【特許文献１】特開２００６−３４８９１１号公報
【発明の概要】
【発明が解決しようとする課題】
【０００５】
ところで、上述した可変容量型ピストンポンプでは、斜板の傾角の変位に応じて、斜板復帰バネにおける斜板側の座面中心の位置が当該斜板復帰バネの軸線から逸れる。すなわち、斜板復帰バネは、斜板側の端部が局部的に屈曲して座屈したり、局部応力によって破損したりして機能劣化する可能性がある。また、斜板復帰バネは、屈曲した結果、他部品と接触して破損するような機能劣化が生じる可能性もある。
【０００６】
そこで、上記特許文献１に記載の可変容量型ピストンポンプでは、斜板復帰バネにおける斜板側の端部に、斜板側が球面である部材を配置している。しかしながら、斜板復帰バネの斜板側の端部に、斜板側が球面である部材を配置する場合には、部品点数の増加又は組立工程の複雑化等によりコストが増加するという問題がある。
【０００７】
本発明は、斜板復帰バネの機能劣化を抑制することができる可変容量型ピストンポンプを提供することを目的とする。
【課題を解決するための手段】
【０００８】
本発明に係る可変容量型ピストンポンプは、回転軸と一体的に回転するシリンダブロック内のピストンが、斜板の傾角に応じたストロークの往復動をおこなって、作動流体の吸入および吐出をおこなう可変容量型ピストンポンプであって、斜板は、ピストンの一端部がシューを介して摺接する摺接面を有するとともに、ピストンのストロークを規定する傾角を変更可能とするように回動中心周りに回動可能に配置され、斜板の摺接面に対して一側に配置され、一側から斜板の被押圧部を押圧して、斜板の傾角を作動流体の吐出容量が最大となる最大傾角と作動流体の吐出容量が最小となる最小傾角との間で調整する押圧部と、斜板の摺接面に対して他側に配置され、斜板の被押圧部を摺接面の一側の向きに付勢する、一方向に延びる斜板復帰バネと、を備え、斜板復帰バネは、斜板の傾角が最大傾角であるときの斜板側の座面中心の位置である第１の座面中心位置と、斜板の傾角が最小傾角であるときの斜板側の座面中心の位置である第２の座面中心位置とを有し、斜板復帰バネの軸線方向に対して平行であり、且つ、斜板の回動中心を通る直線を平行基準線とし、平行基準線と直交し、且つ、斜板の回動中心を通る直線を垂直基準線としたときに、第１の座面中心位置と第２の座面中心位置との間を、垂直基準線が通過する位置関係を有することを特徴とする。
【０００９】
本発明に係る可変容量型ピストンポンプでは、斜板の傾角が最大傾角であるときの斜板側の座面中心の位置である第１の座面中心位置と、斜板の傾角が最小傾角であるときの斜板側の座面中心の位置である第２の座面中心位置との間を、垂直基準線が通過する位置関係を有している。斜板側の座面中心の位置は、垂直基準線上または垂直基準線の近傍では、垂直基準線方向における変動が小さい。本発明に係る可変容量型ピストンポンプでは、第１の座面中心位置と第２の座面中心位置とが垂直基準線を挟むように位置しているので、斜板側の座面中心の位置は垂直基準線上または垂直基準線の近傍となる。よって、垂直基準線方向における斜板側の座面中心の位置の変動を小さくすることができる。そのため、斜板復帰バネの座面中心の位置が当該斜板復帰バネの軸線から逸れる量が、斜板の傾角によらず小さくなるように、斜板復帰バネを設けることができる。したがって、斜板の最大傾角から最小傾角に亘って、斜板復帰バネの斜板側の端部が局部的に屈曲することを抑制することができる。以上より、斜板復帰バネの機能劣化を抑制することができる。
【００１０】
本発明に係る可変容量型ピストンポンプにおいて、第１の座面中心位置と第２の座面中心位置との中点を、垂直基準線が通過する位置関係を有してもよい。この場合、斜板の傾角が最大傾角であるときに斜板側の座面中心の位置が斜板復帰バネの軸線から逸れる量と、斜板の傾角が最小傾角であるときに斜板側の座面中心の位置が斜板復帰バネの軸線から逸れる量とを等しくすることができる。つまり、斜板側の座面中心の位置が斜板復帰バネの軸線から逸れる量が、斜板の傾角が最大傾角又は最小傾角のいずれかの場合に過剰に大きくなってしまうことがない。よって、斜板の傾角の変位に応じて斜板復帰バネの座面中心の位置が当該斜板復帰バネの軸線から逸れる量を最も小さくすることができるので、斜板の傾角の変位に応じて斜板復帰バネの斜板側の端部が局部的に屈曲することをより抑制することができる。
【００１１】
本発明に係る可変容量型ピストンポンプにおいて、斜板復帰バネは、軸線方向が回転軸に対して平行となるように配置されていてもよい。この場合、可変容量型ピストンポンプにおける斜板復帰バネの組み付けが容易となる。
【発明の効果】
【００１２】
本発明によれば、斜板復帰バネが局部的に曲げられることを抑制することができる可変容量型ピストンポンプを提供することができる。
【図面の簡単な説明】
【００１３】
【図１】本発明の実施形態に係る可変容量型ピストンポンプを示した概略断面図である。
【図２】図１に示す斜板の斜視図である。
【図３】図１に示す斜板を摺接面側から見た側面図である。
【図４】図１に示す斜板を摺接面とは反対側から見た側面図である。
【図５】斜板の摺接面と斜板の回動中心との位置関係を模式的に示す図である。
【図６】斜板復帰バネの座面中心の位置の変動を示す模式図である。
【図７】図６とは異なる位置の斜板復帰バネの座面中心の位置を示す模式図である。
【図８】変形例に係る斜板を示す斜視図である。
【発明を実施するための形態】
【００１４】
以下、添付図面を参照して、本発明の実施形態について詳細に説明する。なお、説明において、同一要素又は同一機能を有する要素には、同一符号を用いることとし、重複する説明は省略する。
【００１５】
まず、本実施形態に係る可変容量型ピストンポンプ（以下、単にポンプと称す）について、図１を参照しつつ説明する。ポンプ１は、ポンプハウジング１０と、回転軸２０と、シリンダブロック１４とを備えている。
【００１６】
ポンプハウジング１０は、フロントハウジング１０ａ、センタハウジング１０ｂ、リヤハウジング１０ｃを接合することによって構成されており、その内部にクランク室１２を有する。
【００１７】
回転軸２０は、その大部分がポンプハウジング１０のクランク室１２内に収容されており、一方の端部のみがポンプハウジング１０から突出している。回転軸２０は、クランク室１２内において、ベアリングにより回転可能に保持されている。ポンプハウジング１０から突出する回転軸２０の端部は、図示しない動力取出装置に連結されており、エンジンにより回転軸２０全体が回転駆動される。
【００１８】
シリンダブロック１４も、ポンプハウジング１０のクランク室１２内に収容されている。シリンダブロック１４は、回転軸２０と一体的に回転するように、回転軸２０にスプライン嵌合されている。シリンダブロック１４には、回転軸２０の突出する端部の側に開口を有する複数のシリンダボア１４ａが設けられており、複数のシリンダボア１４ａはシリンダブロック１４における回転軸２０周りに所定角度間隔で配置されている。そして、複数のシリンダボア１４ａ内にはそれぞれ、回転軸２０の突出する端部の側にヘッドが突出するピストン１６が収容されている。
【００１９】
ポンプハウジング１０のクランク室１２には、さらに、斜板３０が収容されている。以下、図２〜図４を参照して、斜板３０の構成について説明する。図２は、図１に示す斜板３０の斜視図である。図３は、図１に示す斜板３０を摺接面側から見た側面図である。図４は、図１に示す斜板３０を摺接面とは反対側から見た側面図である。
【００２０】
図２〜図４に示されているように、斜板３０は、本体部３１と、一対の摺動部３２と、被押圧部３３とを有している。
【００２１】
本体部３１は、略板状であり、その中央部に、上述の回転軸２０が挿通される貫通孔３１ａが設けられている。一対の摺動部３２は、本体部３１を両側から挟む位置に、本体部３１と一体的に設けられている。
【００２２】
本体部３１および摺動部３２の前面側は、図３に示すように平坦面３０ａとなっており、この面が後述する摺接面である。一方、本体部３１および摺動部３２の背面側は、図２、４に示すように、摺動部３２が本体部３１に対して突出する形状となっている。摺動部３２は、その断面が半月状（Ｄ字状）であり、背面側に凸となるように所定の曲率で湾曲した摺動面３２ａを有している。
【００２３】
また、本体部３１には、本体部３１から上側に延びる被押圧部３３が設けられている。被押圧部３３には、その前面側に収容孔３３ａが形成されており、この収容孔３３ａに、後述する円筒部材３３ｂが配置されている。なお、円筒部材３３ｂは、回動できないように固定された状態で配置されてもよく、回動自在に配置されてもよい。また、被押圧部３３には、その背面側に、後述する斜板復帰バネ６０の先端部によって付勢される位置に、斜板復帰バネ６０の先端部が係合する突起部３３ｃ及び平面部３３ｄが形成されている。
【００２４】
図１に戻って、斜板３０は、その背面側に配置された斜板受部材３４によって、その位置が保持されている。斜板受部材３４は、上述した斜板３０の摺動部３２の摺動面３２ａと略同一の曲率を有する支持面３４ａを有する。斜板３０は、摺動部３２の摺動面３２ａが斜板受部材３４の支持面３４ａに接するように配置され、それにより、斜板受部材３４により上記曲率に沿って揺動可能に支持される。より詳しくは、斜板３０は、斜板受部材３４の支持面３４ａの曲率中心Ｘを基準に回動する（傾転するともみなせるし、回転するともみなせる）ことが可能である。この曲率中心Ｘは、斜板３０の摺動部３２の摺動面３２ａの曲率中心でもある。そして、この曲率中心Ｘは、斜板３０の回動位置によらず、摺接面３０ａからの距離（最短距離）が一定である点と定義することができる。以下の説明では、この曲率中心を回動中心Ｘと称す。なお、図１においては、回動中心Ｘを点で示しているが、回動中心Ｘの線は奥行方向（紙面に垂直な方向）に延びている。
【００２５】
斜板３０は、ピストン１６のストロークを規定する傾角を変更可能とするように回動中心Ｘ周りに回動可能に配置されている。傾角は、たとえば、回転軸２０の軸線に直交する直線を基準とする角度として定義することができる。本実施形態において、傾角は、回転軸２０の軸線に直交する直線に対する摺接面３０ａの角度として定義される。
【００２６】
斜板３０は、その前面側の摺接面３０ａが、シリンダブロック１４側を向いている。摺接面３０ａには、シリンダブロック１４から突出する各ピストン１６のヘッド（一端部）が、シュー３６を介して摺接している。ピストン１６のヘッドそれぞれに取り付けられたシュー３６は、シュー３６が貫挿される孔を有する円板状のリテーナ３５によって保持されている。回転軸２０とともにシリンダブロック１４が回転すると、各ピストン１６は、シュー３６を介して摺接面３０ａを摺接しつつ、回転軸２０周りに回転する。
【００２７】
斜板３０が回動中心Ｘ周りに回動して傾斜することにより、シリンダブロック１４に収容された各ピストン１６は、そのヘッド側の端部（図１の左端部）がシュー３６を介して押接され、また、シリンダブロック１４はリヤハウジング１０ｃの内端壁面に止着されたバルブプレート４０に押接される。
【００２８】
そして、シリンダブロック１４が回転軸２０と一体的に回転されることにより、各ピストン１６が斜板３０の傾角により規定されたストロークを往復動されるとともに、シリンダボア１４ａがバルブプレート４０に透設された円弧状をなす吸入ポート４０ａおよび吐出ポート４０ｂと交互に連通される。これにより作動油が吸入ポート４０ａからシリンダボア１４ａ内に吸入され、シリンダボア１４ａ内の作動油はポンプ作用により吐出ポート４０ｂから吐出される。なお、吸入通路１０ｄ及び吐出通路１０ｅはリヤハウジング１０ｃに形成され、それぞれ吸入ポート４０ａおよび吐出ポート４０ｂと連通されている。
【００２９】
ポンプ１は、さらに斜板３０の前面側、すなわち、シリンダブロック１４側に配置されたコントロールピストン５０を備えている。コントロールピストン５０は、ポンプハウジング１０のセンタハウジング１０ｂの側部に設けられており、クランク室１２に連通するハウジング５２と、ハウジング５２内を往復動するピストン部５８とを有する。ピストン部５８が斜板３０の被押圧部３３に対向するように、ハウジング５２は、回転軸２０に対して傾いた方向に延在する略円筒状の形状を有している。
【００３０】
ハウジング５２の開口のうち、斜板３０から遠い方の開口は、ネジ５４によって塞がれている。これにより、ハウジング５２内にはピストン収容室５６が画成され、このピストン収容室５６にピストン部５８が収容されている。
【００３１】
ピストン部５８は、円柱状の外形を有している。ピストン部５８の径は、ピストン収容室５６の内壁面との間に隙間がないように、かつ、ピストン収容室５６においてピストン部５８が摺動できるように設計される。ピストン部５８の斜板３０側の端面は、平面状であり、斜板３０の被押圧部３３における円筒部材３３ｂに接触する位置まで移動可能である。図１に示すように、押圧部であるピストン部５８の斜板３０側の端面は、斜板３０の被押圧部３３の円筒部材３３ｂに接しており、所定の押圧力で円筒部材３３ｂを常に押圧している。
【００３２】
ピストン収容室５６のうち、ピストン部５８とネジ５４との間の空間は、作動油が流入する制御室５６ａとして機能する。制御室５６ａ内の圧力（以下、制御圧と称す）は、作動油の流入により変化する。コントロールピストン５０は、この制御圧の変化によってピストン部５８を摺動させ、斜板３０をシリンダブロック１４側から押圧する。これにより、コントロールピストン５０は、斜板３０の傾角を作動油の吐出容量が最大となる最大傾角と作動油の吐出容量が最小となる最小傾角との間で調整する。
【００３３】
ポンプ１は、さらに斜板３０の背面側に、一方向に延びる円筒螺旋状のバネ（コイルバネ）である斜板復帰バネ６０を備えている。すなわち、斜板復帰バネ６０は、斜板３０の摺接面３０ａに対してコントロールピストン５０と反対側に配置されている。具体的には、斜板復帰バネ６０は、ポンプハウジング１０のフロントハウジング１０ａに形成されたバネ室７０内に、その基端部が収容されている。
【００３４】
本実施形態において、バネ室７０は回転軸２０に対して平行に形成されており、斜板復帰バネ６０はバネ室７０から斜板３０に向かって延びている。その結果、斜板復帰バネ６０は、その軸線方向が回転軸２０に対して平行となるように配置されている。斜板復帰バネ６０の先端部は、上述した斜板３０の被押圧部３３の背面に当接し、かつ、背面に形成された突起部３３ｃ及び平面部３３ｄと係合している。斜板復帰バネ６０は、バネ室７０及び斜板３０と固定されておらず、バネ室７０と被押圧部３３との間に挟み込まれた状態でその位置及び姿勢が保持されている。
【００３５】
換言すると、斜板復帰バネ６０は、その座面（バネの端面）に関しては、基端部の座面６０ａがバネ室７０の底壁と当接し、先端部の座面６０ｂが斜板３０の被押圧部３３と当接する。これにより、斜板復帰バネ６０は、圧縮され、斜板３０を摺接面３０ａに対してシリンダブロック側に付勢する。なお、斜板復帰バネ６０は、例えばＳＷＰ−Ｂ等の金属製の線材を加工して形成された線バネである。
【００３６】
次に、図５及び図６を参照して、斜板復帰バネ６０の斜板３０側の座面中心の位置について詳細に説明する。ここで、斜板復帰バネ６０の斜板３０側の座面中心とは、斜板復帰バネ６０の斜板３０側（先端部側）の座面６０ｂにおける中心であり、例えば座面６０ｂの外周上の全ての点から等しい距離にある点をいう。本実施形態では、斜板復帰バネ６０は円筒螺旋状であるため、座面６０ｂの形状（すなわち、斜板復帰バネ６０の先端部の端面形状）は円形であり、その円の中心を座面中心と定義することができる。以下、斜板復帰バネ６０の斜板３０側の座面６０ｂにおける中心を、斜板復帰バネ６０の座面中心と称す。
【００３７】
まず、斜板復帰バネ６０の座面中心の位置を示すための各基準（回動中心Ｘ、垂直基準線、及び平行基準線）について説明する。図５は、斜板３０の摺接面３０ａと斜板３０の回動中心Ｘとの位置関係を模式的に示す図である。なお、図５において、回動中心Ｘを点で示しているが、回動中心Ｘの線は奥行方向（紙面に垂直な方向）に延びている。
【００３８】
図５に示されているように、「Ｍａｘ」で示した最大傾角のときの斜板３０の摺接面３０ａから回動中心Ｘまでの距離ｄと、「Ｍｉｎ」で示した最小傾角のときの斜板３０の摺接面３０ａから回動中心Ｘまでの距離ｄとは一定である。すなわち、回動中心Ｘは、摺接面３０ａからの距離が斜板３０の傾角によらずに一定である。また、断面において、最大傾角のときの斜板３０の摺接面３０ａと最小傾角のときの斜板３０の摺接面３０ａとに接する仮想円Ｅは、回動中心Ｘの任意の点を中心とした円として描かれる。すなわち、回動中心Ｘは、斜板３０の傾角によらずに斜板３０の摺接面３０ａと接する仮想円Ｅを断面とする円柱の中心軸線と定義することもできる。
【００３９】
平行基準線Ｙは、斜板復帰バネ６０の軸線方向に対して平行であり、且つ、回動中心Ｘを通る直線である。本実施形態では、斜板復帰バネ６０の軸線は、回転軸２０に対して平行であるため、平行基準線Ｙは回転軸２０に対して平行な線である。この平行基準線Ｙと直交し、且つ、回動中心Ｘを通る直線を、垂直基準線Ｚと定義する。
【００４０】
図６は、本実施形態に係るポンプ１における斜板３０の傾角の変位に応じた斜板復帰バネ６０の座面中心の位置の変動を示す模式図である。図６でも、図５に示した平行基準線Ｙ、垂直基準線Ｚおよび回動中心Ｘを示している。図６では、さらに、斜板復帰バネ６０の軸線を軸線Ｓとして示している。
【００４１】
図６では、本実施形態に係るポンプ１における斜板復帰バネ６０の座面中心の位置の変動が、両矢印Ａで示されている。両矢印Ａは、斜板３０の傾角が最大傾角のときの斜板復帰バネ６０の座面中心の位置（以下、第１の座面中心位置と称す）Ａ１と、斜板３０の傾角が最小傾角のときの斜板復帰バネ６０の座面中心の位置（以下、第２の座面中心位置と称す）Ａ２との間において、斜板復帰バネ６０の座面中心の位置が変動することを示している。斜板３０の最大傾角と最小傾角との間の角度差はθで示している。図６に示すように、斜板復帰バネ６０の座面中心の位置は、第１の座面中心位置Ａ１と第２の座面中心位置Ａ２との間を、回動中心Ｘを中心とする仮想円の円弧に沿って移動する。なぜなら、斜板復帰バネ６０の座面中心が位置する斜板３０の被押圧部３３と、回動中心Ｘとの距離が、傾角によらず常に一定であるためである。
【００４２】
図６の両矢印Ａで示されているように、本実施形態に係るポンプ１においては、例えば平行基準線Ｙおよび垂直基準線Ｚに平行な平面に垂直な方向（紙面に垂直な方向）から見て、斜板３０の傾角が最大傾角のときの第１の座面中心位置Ａ１と、斜板３０の傾角が最小傾角のときの第２の座面中心位置Ａ２との間を、垂直基準線Ｚが通過している。すなわち、斜板３０の傾角が最大傾角のときの第１の座面中心位置Ａ１と斜板３０の傾角が最小傾角のときの第２の座面中心位置Ａ２とに垂直基準線Ｚが挟まれている。
【００４３】
第１の座面中心位置Ａ１、第２の座面中心位置Ａ２および垂直基準線Ｚがこのような位置関係を有する場合には、図６に示すように、斜板復帰バネ６０の座面中心の位置は、両矢印Ａの範囲においてほぼ真横に移動し、図６の上下方向（すなわち、垂直基準線Ｚの方向）に関する変位はほとんどない。そのため、斜板３０の傾角が最大傾角から最小傾角まで変化し、それに伴い、斜板復帰バネ６０の座面中心の位置が第１の座面中心位置Ａ１から第２の座面中心位置Ａ２まで移動したときでも、斜板復帰バネ６０の座面中心の位置は垂直基準線Ｚの方向に関してほとんど変位しない。
【００４４】
そのため、軸線Ｓが第１の座面中心位置Ａ１および第２の座面中心位置Ａ２に近接するように、斜板復帰バネ６０を配置することで、斜板復帰バネ６０の座面中心の位置は、最大傾角の位置（Ａ１）、最小傾角の位置（Ａ２）およびそれらの間の任意の傾角の位置において、軸線Ｓから逸れる量が小さく抑えられる。
【００４５】
図６では、比較のため、斜板復帰バネ６０の第１の座面中心位置と第２の座面中心位置との間を垂直基準線Ｚが通過していない場合が、両矢印Ｂ及び両矢印Ｃで示されている。なお、両矢印Ｂ、Ｃのいずれの場合も、斜板３０の最大傾角と最小傾角との間の角度差θは、上述した両矢印Ａの角度差θと同じである。
【００４６】
両矢印Ｂは、斜板復帰バネ６０の第１の座面中心位置Ｂ１および第２の座面中心位置Ｂ２がいずれも垂直基準線Ｚよりも斜板復帰バネ６０側に位置している場合の斜板復帰バネ６０の座面中心の位置の変動量を示している。図６に示すように、斜板３０の傾角が最大傾角から最小傾角まで変化し、それに伴い、斜板復帰バネ６０の座面中心の位置が第１の座面中心位置Ｂ１から第２の座面中心位置Ｂ２まで移動したときに、斜板復帰バネ６０の座面中心の位置は下方向に漸次移動していき垂直基準線Ｚの方向に関して大きく変位する。すなわち、第１の座面中心位置Ｂ１および第２の座面中心位置Ｂ２がいずれも垂直基準線Ｚよりも斜板復帰バネ６０側に位置する場合には、第１の座面中心位置Ａ１および第２の座面中心位置Ａ２の間を垂直基準線Ｚが通過する場合に比べて、斜板復帰バネ６０の座面中心の位置の垂直基準線Ｚの方向に関する変位が大きくなる。
【００４７】
したがって、両矢印Ｂの場合においては、軸線Ｓが最大傾角の位置（Ｂ１）および最小傾角の位置（Ｂ２）のどちらかに近接するように斜板復帰バネ６０を配置したとしても、斜板復帰バネ６０の座面中心の位置が軸線Ｓから大幅に逸れる。
【００４８】
両矢印Ｃは、第１の座面中心位置Ｃ１および第２の座面中心位置Ｃ２がいずれも垂直基準線Ｚよりもコントロールピストン５０側に位置している場合の斜板復帰バネ６０の座面中心の位置の変動量を示している。図６に示すように、斜板３０の傾角が最大傾角から最小傾角まで変化し、それに伴い、斜板復帰バネ６０の座面中心の位置が第１の座面中心位置Ｃ１から第２の座面中心位置Ｃ２まで移動したときに、斜板復帰バネ６０の座面中心の位置は上方向に漸次移動していき垂直基準線Ｚの方向に関して大きく変位する。すなわち、第１の座面中心位置Ｃ１および第２の座面中心位置Ｃ２がいずれも垂直基準線Ｚよりもコントロールピストン側に位置する場合にも、第１の座面中心位置Ａ１および第２の座面中心位置Ａ２の間を垂直基準線Ｚが通過する場合に比べて、斜板復帰バネ６０の座面中心の位置の垂直基準線Ｚの方向に関する変位が大きくなる。
【００４９】
したがって、両矢印Ｃの場合においても、両矢印Ｂの場合同様、軸線Ｓが最大傾角の位置（Ｃ１）および最小傾角の位置（Ｃ２）のどちらかに近接するように斜板復帰バネ６０を配置したとしても、斜板復帰バネ６０の座面中心の位置が軸線Ｓから大幅に逸れる。
【００５０】
以上で説明した通り、本実施形態に係るポンプ１では、斜板復帰バネ６０の第１の座面中心位置Ａ１と、斜板復帰バネ６０の第２の座面中心位置Ａ２との間を、垂直基準線Ｚが通過する位置関係を有する。斜板復帰バネ６０の斜板３０側の座面中心の位置は、垂直基準線Ｚ上または垂直基準線Ｚの近傍では、垂直基準線Ｚ方向における変動が小さい。上述したポンプ１では、第１の座面中心位置Ａ１と第２の座面中心位置Ａ２とが垂直基準線Ｚを挟むように位置しているので、斜板３０側の座面中心の位置は垂直基準線上または垂直基準線Ｚの近傍となる。よって、垂直基準線Ｚ方向における斜板３０側の座面中心の位置の変動を小さくすることができる。そのため、斜板復帰バネ６０の座面中心の位置が当該斜板復帰バネ６０の軸線Ｓから逸れる量が、斜板３０の傾角によらず小さくなるように、斜板復帰バネ６０を設けることができる。したがって、斜板３０の最大傾角から最小傾角に亘って、斜板復帰バネ６０の斜板３０側の端部が局部的に屈曲することを抑制することができる。以上より、斜板復帰バネ６０の機能劣化を抑制することができる。
【００５１】
なお、垂直基準線Ｚが、斜板復帰バネ６０の第１の座面中心位置Ａ１と斜板復帰バネ６０の第２の座面中心位置Ａ２との間を通過する位置関係、すなわち、斜板復帰バネ６０の第１の座面中心位置Ａ１と第２の座面中心位置Ａ２とが垂直基準線Ｚを挟む位置関係には、垂直基準線Ｚが第１の座面中心位置Ａ１または第２の座面中心位置Ａ２と重なる位置関係を含む。
【００５２】
本実施形態に係るポンプ１において、斜板復帰バネ６０は、その軸線方向が回転軸２０に対して平行となるように配置されている。斜板復帰バネ６０は、回転軸２０の方向に並んだフロントハウジング１０ａとセンタハウジング１０ｂとの間に組み込まれる。フロントハウジング１０ａとセンタハウジング１０ｂとを結合する際には、回転軸２０の軸線方向の沿った力で押し付けられるため、その力の向きが斜板復帰バネ６０の軸線方向と同じであれば、斜板復帰バネ６０の組み付けが容易となる。その上、ポンプ１は、一般に、回転軸２０の軸線を基準に設計される。そのため、フロントハウジング１０ａに設けられるバネ室７０や、バネ室７０から延びる斜板復帰バネ６０を回転軸２０に対して平行にすることで、設計が容易となる。
【００５３】
また、通常、斜板復帰バネの先端部における局部的な屈曲に備えて、屈曲端部が動くことが予想される領域を余剰に確保することがおこなわれる。この場合には、ポンプの小型化を阻害し、若しくは、ポンプの寸法拡大を招く。これに対し、本実施形態に係るポンプ１によれば、斜板復帰バネ６０が局部的に屈曲することを抑制することができるので、大きな領域を確保する必要がなく、ポンプハウジング１０の小型化を実現することができる。
【００５４】
なお、第１の座面中心位置Ａ１および第２の座面中心位置Ａ２と垂直基準線Ｚとの位置関係は、より好ましくは、図７の両矢印Ａで示されているように、第１の座面中心位置Ａ１と、第２の座面中心位置Ａ２とを結ぶ直線を二等分する点である中点Ｐを、垂直基準線Ｚが通過する。つまり、この場合、垂直基準線Ｚが、第１の座面中心位置Ａ１と第２の座面中心位置Ａ２とを結ぶ直線の垂直二等分線と一致する。
【００５５】
このとき、軸線Ｓが第１の座面中心位置Ａ１を通るように斜板復帰バネ６０を配置すると、軸線Ｓは、第２の座面中心位置Ａ２および中点Ｐをも通る。すなわち、第１の座面中心位置Ａ１、第２の座面中心位置Ａ２、および中点Ｐは、軸線Ｓの方向に沿って並び、垂直基準線Ｚ方向における位置ズレがない。
【００５６】
ここで、図６の両矢印Ａの場合において、斜板復帰バネ６０の座面中心の位置が移動する仮想円の半径をｒとし、第２の座面中心位置Ａ２と回動中心Ｘとを結ぶ直線の垂直基準線Ｚに対する傾きをθ’とすると、第１の座面中心位置Ａ１と第２の座面中心位置Ａ２との間で斜板復帰バネ６０の座面中心の位置が軸線Ｓから逸れる量は、r（１−cosθ'）となる。これに対し、図７の両矢印Ａの場合においては、両矢印Ａの角度差θが斜板復帰バネ６０側とコントロールピストン５０側とで等分されるので、第１の座面中心位置Ａ１と回動中心Ｘとを結ぶ直線の垂直基準線Ｚに対する傾き、および、第２の座面中心位置Ａ２と回動中心Ｘとを結ぶ直線の垂直基準線Ｚに対する傾きは、いずれもθ'よりも小さいθ／２となる。よって、第１の座面中心位置Ａ１と第２の座面中心位置Ａ２との間で斜板復帰バネ６０の座面中心の位置が軸線Ｓから逸れる量は、r（１−cosθ'）よりも小さいr（１−cos（θ／２））として示される。このように、中点Ｐを垂直基準線Ｚが通過する場合には、斜板３０の傾角の変位に応じて斜板復帰バネ６０の座面中心の位置が当該斜板復帰バネ６０の軸線Ｓから逸れる量を最も小さくすることができるので、斜板３０の傾角の変位に応じて斜板復帰バネ６０の斜板３０側の端部が局部的に屈曲することをより抑制することができる。
【００５７】
以上、本発明の種々の実施形態について説明したが、本発明は上記実施形態に限定されるものではなく、各請求項に記載した要旨を変更しない範囲で変形し、又は他のものに適用したものであってもよい。
【００５８】
斜板３０は、上記実施形態におけるものに限られない。例えば、斜板３０の代わりに、図８に示すような形状の斜板１３０を採用することもできる。
【００５９】
斜板１３０は、斜板３０の一対の摺動部３２の代わりに、一対の回転軸部１３２を有する。上述した斜板３０は、摺動部３２と斜板受部材３４との協働により回動中心Ｘ周りを回動する態様であるが、斜板１３０は、回動中心Ｘに沿って延在する円柱状の一対の回転軸部１３２がクランク室１２内で回転可能に保持されることで、回動中心Ｘ周りを回動可能である。斜板１３０も、上述した斜板３０の本体部３１と同様の機能を有する円板状の本体部１３１を有する。本体部１３１は、その前面側に摺接面３０ａと同様の摺接面１３０ａを有し、また、その上部に被押圧部３３と同様の被押圧部１３３を有する。図８に示した斜板１３０は、上述した斜板３０と同一または同等の機能を備える。その上、斜板１３０は、一対の回転軸部１３２を備えるため、上述の斜板受部材３４が不要となり、ポンプ１の構成の簡素化を図ることができる。
【符号の説明】
【００６０】
１…可変容量型ピストンポンプ、１４…シリンダブロック、１６…ピストン、２０…回転軸、３０、１３０…斜板、３０ａ…摺接面、３３、１３３…被押圧部、５８…ピストン部（押圧部）、６０…斜板復帰バネ、Ｘ…回動中心、Ｙ…平行基準線、Ｚ…垂直基準線、Ａ１…第１の座面中心位置、Ａ２…第２の座面中心位置。
【図１】
2016023547.tif 000003
【図２】
2016023547.tif 000004
【図３】
2016023547.tif 000005
【図４】
2016023547.tif 000006
【図５】
2016023547.tif 000007
【図６】
2016023547.tif 000008
【図７】
2016023547.tif 000009
【図８】
2016023547.tif 000010